(57)【要約】【課題】より高速な伝送に対応可能なコネクタ及びそれを用いた接続装置を提供する。【解決手段】コネクタ１００は、複数のコンタクト１０Ａと、ハウジング１１とを備えている。複数のコンタクト１０Ａの各々は、第１接続片１Ａと第２接続片２Ａと連結片３Ａとを有し、第１接続片１Ａと第２接続片２Ａとの間に接続対象物２００が差し込まれるように構成されている。第１接続片１Ａは、接続対象物２００における第１接続片１Ａとの対向面に形成された導電部２２と接触するように形成されている。ハウジング１１には、接続対象物２００における第２接続片２Ａとの対向面に形成されたグランド層２３と第２接続片２Ａとを電気的に絶縁する絶縁部１３が、設けられている。【選択図】図１
2017033907.tif 000002
【特許請求の範囲】
【請求項１】
複数のコンタクトと、前記複数のコンタクトを保持するハウジングとを備え、
前記複数のコンタクトの各々は、第１接続片と、第２接続片と、前記第１接続片及び前記第２接続片を連結する連結片とを有し、前記第１接続片と前記第２接続片との間に接続対象物が差し込まれるように構成され、
前記第１接続片は、前記接続対象物における前記第１接続片との対向面に形成された導電部と接触するように形成され、
前記ハウジングには、前記接続対象物における前記第２接続片との対向面に形成されたグランド層と前記第２接続片とを電気的に絶縁する絶縁部が、設けられている
ことを特徴とするコネクタ。
【請求項２】
複数のグランド用コンタクトをさらに備え、
前記複数のグランド用コンタクトの各々は、前記ハウジングに保持され、かつ、前記グランド層と接触するように形成されている
ことを特徴とする請求項１記載のコネクタ。
【請求項３】
前記ハウジングに対して移動可能に保持される操作部を、さらに備え、
前記操作部は、移動に伴い前記複数のコンタクトそれぞれの一部と前記複数のグランド用コンタクトそれぞれの一部とを押すことで、前記複数のコンタクトと前記導電部とを接触させ、かつ、前記複数のグランド用コンタクトと前記グランド層とを接触させるように構成されている
ことを特徴とする請求項２記載のコネクタ。
【請求項４】
前記複数のグランド用コンタクトの各々は、前記グランド層と接触する接触部と、前記接触部との間に前記接続対象物を挟む挟み部とを有し、
前記接触部と前記挟み部とは、電気的に絶縁されている
ことを特徴とする請求項２または請求項３記載のコネクタ。
【請求項５】
前記ハウジングには、前記接続対象物の端部が挿入される挿入穴が設けられ、
前記複数のグランド用コンタクトの各々は、前記挿入穴の深さ方向における前記挿入穴の中心位置よりも前記挿入穴の開口側の位置で前記接触部が前記グランド層と接触するように、前記ハウジングに保持されている
ことを特徴とする請求項４記載のコネクタ。
【請求項６】
請求項１ないし請求項５のいずれか１項に記載のコネクタと、前記コネクタに接続される前記接続対象物とを備えている
ことを特徴とする接続装置。
【発明の詳細な説明】
【技術分野】
【０００１】
本発明は、一般に、コネクタ及びそれを用いた接続装置に関し、より詳細には、複数のコンタクトを備えたコネクタ及びそれを用いた接続装置に関する。
【背景技術】
【０００２】
従来、ＦＰＣ（Flexible Printed Circuit）やＦＦＣ（Flexible Flat Cable）と接続するコネクタが提案されている（例えば、特許文献１）。
【先行技術文献】
【特許文献】
【０００３】
【特許文献１】特開２０１４−５６６４６号公報
【発明の概要】
【発明が解決しようとする課題】
【０００４】
特許文献１記載のコネクタに限らず、ＦＰＣやＦＦＣ等の接続対象物と接続するコネクタは、より高速な伝送に対応できることが求められている。
【０００５】
本発明は、上述の事由に鑑みてなされ、本発明の目的は、より高速な伝送に対応可能なコネクタ及びそれを用いた接続装置を提供することである。
【課題を解決するための手段】
【０００６】
本発明のコネクタは、複数のコンタクトと、前記複数のコンタクトを保持するハウジングとを備えている。前記複数のコンタクトの各々は、第１接続片と、第２接続片と、前記第１接続片及び前記第２接続片を連結する連結片とを有している。また、前記複数のコンタクトの各々は、前記第１接続片と前記第２接続片との間に接続対象物が差し込まれるように構成されている。前記第１接続片は、前記接続対象物における前記第１接続片との対向面に形成された導電部と接触するように形成されている。前記ハウジングには、前記接続対象物における前記第２接続片との対向面に形成されたグランド層と前記第２接続片とを電気的に絶縁する絶縁部が、設けられている。
【０００７】
このコネクタにおいて、複数のグランド用コンタクトをさらに備えていることが好ましい。前記複数のグランド用コンタクトの各々は、前記ハウジングに保持され、かつ、前記グランド層と接触するように形成されていることが好ましい。
【０００８】
このコネクタにおいて、前記ハウジングに対して移動可能に保持される操作部を、さらに備えていることが好ましい。前記操作部は、移動に伴い前記複数のコンタクトそれぞれの一部と前記複数のグランド用コンタクトそれぞれの一部とを押すことで、前記複数のコンタクトと前記導電部とを接触させ、かつ、前記複数のグランド用コンタクトと前記グランド層とを接触させるように構成されていることが好ましい。
【０００９】
このコネクタにおいて、前記複数のグランド用コンタクトの各々は、前記グランド層と接触する接触部と、前記接触部との間に前記接続対象物を挟む挟み部とを有していることが好ましい。前記接触部と前記挟み部とは、電気的に絶縁されていることが好ましい。
【００１０】
このコネクタにおいて、前記ハウジングには、前記接続対象物の端部が挿入される挿入穴が設けられていることが好ましい。前記複数のグランド用コンタクトの各々は、前記挿入穴の深さ方向における前記挿入穴の中心位置よりも前記挿入穴の開口側の位置で前記接触部が前記グランド層と接触するように、前記ハウジングに保持されていることが好ましい。
【００１１】
本発明の接続装置は、前記コネクタと、前記コネクタに接続される前記接続対象物とを備えている。
【発明の効果】
【００１２】
本発明のコネクタにおいて、ハウジングには、接続対象物における第２接続片との対向面に形成されたグランド層と第２接続片とを電気的に絶縁する絶縁部が、設けられている。これにより、本発明のコネクタでは、グランド層と第２接続片に発生する寄生インダクタンス成分、寄生抵抗成分、寄生容量成分等を小さくすることが可能になる。よって、本発明のコネクタでは、特定の周波数で共振現象が発生するのを抑制することが可能となり、帯域通過特性の広帯域化を図ることが可能になる。その結果、本発明のコネクタでは、より高速な伝送に対応することが可能になる。
【００１３】
本発明の接続装置は、コネクタと、コネクタに接続される接続対象物とを備えている。これにより、本発明の接続装置では、より高速な伝送に対応可能なコネクタを備えた接続装置を提供することができる。
【図面の簡単な説明】
【００１４】
【図１】図１Ａは、実施形態１のコネクタを備えた接続装置の使用状態を示す断面図である。図１Ｂは、実施形態１のコネクタを備えた接続装置の使用状態を示す他の断面図である。
【図２】図２は、実施形態１のコネクタを備えた接続装置の斜視図である。
【図３】図３は、実施形態１のコネクタが基板に実装された状態を示す一部破断された斜視図である。
【図４】図４Ａは、実施形態１のコネクタにおける信号用コンタクトが基板に実装された状態を示す斜視図である。図４Ｂは、実施形態１のコネクタにおけるグランド用コンタクトが基板に実装された状態を示す斜視図である。
【図５】図５Ａは、実施形態１のコネクタにおける信号用コンタクトが接続対象物の導電部と接触した状態を示す斜視図である。図５Ｂは、実施形態１のコネクタにおけるグランド用コンタクトが接続対象物のグランド層と接触した状態を示す斜視図である。
【図６】図６Ａは、実施形態１のコネクタを備えた接続装置の使用例を説明する説明図である。図６Ｂは、実施形態１のコネクタを備えた接続装置の使用例を説明する他の説明図である。
【図７】図７Ａは、比較例のコネクタを備えた接続装置の使用状態を示す断面図である。図７Ｂは、比較例のコネクタを備えた接続装置の使用状態を示す他の断面図である。
【図８】図８は、比較例のコネクタに接続される接続対象物の斜視図である。
【図９】図９は、実施形態１のコネクタにおける帯域通過特性のグラフである。
【図１０】図１０Ａは、実施形態２のコネクタを備えた接続装置の使用状態を示す断面図である。図１０Ｂは、実施形態２のコネクタを備えた接続装置の使用状態を示す他の断面図である。
【図１１】図１１は、実施形態２のコネクタにおける帯域通過特性のグラフである。
【図１２】図１２Ａは、実施形態３のコネクタを備えた接続装置の使用状態を示す断面図である。図１２Ｂは、実施形態３のコネクタを備えた接続装置の使用状態を示す他の断面図である。
【図１３】図１３は、実施形態３のコネクタにおける帯域通過特性のグラフである。
【発明を実施するための形態】
【００１５】
（実施形態１）
以下、実施形態１のコネクタ１００について、図１Ａ〜図５Ｂを参照しながら説明する。
【００１６】
コネクタ１００は、基板４００と接続対象物２００とを電気的に接続するために用いられる。この種のコネクタとしては、例えば、基板対ＦＰＣ接続用のコネクタ、または、基板対ＦＦＣ接続用のコネクタ等が挙げられる。以下では、コネクタ１００が、基板対ＦＰＣ接続用のコネクタである場合について説明する。また、以下では、説明の便宜上、コネクタ１００を備えた接続装置３００を、図１Ａ〜図５Ｂを参照しながら説明した後に、コネクタ１００の詳細について説明する。
【００１７】
接続装置３００は、図２に示すように、コネクタ１００と、コネクタ１００に接続される接続対象物２００とを備えている。なお、以下の説明では、図２中のｘ軸を左右方向と規定し、ｘ軸の矢印の向きを左方と規定する。また、図２中のｙ軸を上下方向と規定し、ｙ軸の矢印の向きを上方と規定する。さらに、図２中のｚ軸を前後方向と規定し、ｚ軸の矢印の向きを後方と規定する。ただし、これらの方向は、実際の使用状態での方向を限定する趣旨ではない。
【００１８】
接続対象物２００は、ＦＰＣである。接続対象物２００は、板状（図２では、平板状）の基体２１と、複数の導電部２２と、グランド層２３（図５Ｂ参照）とを備えている。
【００１９】
基体２１は、電気絶縁性を有している。基体２１は、例えば、合成樹脂により形成されている。基体２１の上面には、複数の導電部２２が形成されている。基体２１の下面の全てには、グランド層（ベタグランド層）２３が形成されている。
【００２０】
複数の導電部２２の各々は、細長い矩形状に形成されている。複数の導電部２２の各々は、例えば、金属箔により形成されている。複数の導電部２２は、基体２１の上面の左右方向に、一定間隔で並んで配置されている。なお、導電部２２の数は、６個であるが、この数値は一例であり、特に限定する趣旨ではない。
【００２１】
以下、コネクタ１００の詳細について、図１Ａ〜図５Ｂを参照しながら説明する。
【００２２】
コネクタ１００は、基板４００に実装される。コネクタ１００は、複数（図示例では、６本）のコンタクト（以下、「信号用コンタクト」）１０Ａと、複数（図示例では、７本）のグランド用コンタクト１０Ｂと、ハウジング１１と、操作部１２とを備えている。なお、信号用コンタクト１０Ａの数は、６本であるが、この数値は一例であり、特に限定する趣旨ではない。また、グランド用コンタクト１０Ｂの数は、７本であるが、この数値は一例であり、特に限定する趣旨ではない。
【００２３】
複数の信号用コンタクト１０Ａの各々は、導電性及び弾性を有している。複数の信号用コンタクト１０Ａの各々は、例えば、導電性が高く、かつ、弾性が比較的大きい材料（例えば、銅合金等）により形成されている。
【００２４】
複数のグランド用コンタクト１０Ｂの各々は、信号用コンタクト１０Ａと同様に、導電性及び弾性を有している。
【００２５】
複数の信号用コンタクト１０Ａは、接続対象物２００における複数の導電部２２と接触可能に形成されている（図５Ａ参照）。複数の信号用コンタクト１０Ａは、複数の導電部２２に１対１で対応付けられている。
【００２６】
複数の信号用コンタクト１０Ａは、同一の形状（側面視Ｈ字状）に形成されている。本実施形態では、複数の信号用コンタクト１０Ａが、コネクタ１００の左右方向に、一定間隔で並んで配置されている。
【００２７】
複数の信号用コンタクト１０Ａの各々は、図１Ａに示すように、接続片（第１接続片）１Ａと、接続片（第２接続片）２Ａと、両接続片１Ａ，２Ａを連結する連結片３Ａとを備えている。また、複数の信号用コンタクト１０Ａの各々は、接続片１Ａと接続片２Ａとの間に接続対象物２００が差し込まれるように構成されている。接続片１Ａ、接続片２Ａ及び連結片３Ａの各々は、例えば、細長い四角柱状に形成されている。
【００２８】
複数の信号用コンタクト１０Ａの各々は、接続片１Ａ及び接続片２Ａの長手方向がコネクタ１００の前後方向と並行するように、ハウジング１１に取り付けられている。また、複数の信号用コンタクト１０Ａの各々は、接続片１Ａが上側に位置し、かつ、接続片２Ａが下側に位置するように、ハウジング１１に取り付けられている。なお、以下では、説明の便宜上、接続片１Ａを「第１上側接続片１Ａ」と称し、接続片２Ａを「第１下側接続片２Ａ」と称し、連結片３Ａを「第１連結片３Ａ」と称する。
【００２９】
第１上側接続片１Ａの前端部には、下方に向って突出する突起（以下、「第１突起」）４が設けられている。第１突起４は、接続対象物２００の導電部２２と接触可能に形成されている。
【００３０】
第１上側接続片１Ａの後端部には、操作部１２と接触可能な突出部（以下、「第１突出部」）５Ａが設けられている。第１突出部５Ａには、側面視半円状に窪んだ凹部（以下、「第１凹部」）６Ａが形成されている。第１凹部６Ａは、図１Ａに示すように、操作部１２が倒された状態のときに、操作部１２の回転軸１２Ａと接触するように形成されている。なお、回転軸１２Ａの詳細については、後述する。
【００３１】
第１下側接続片２Ａの後端部には、端子部（以下、「第１端子部」）７Ａが設けられている。第１端子部７Ａは、基板４００の上面に形成された導電部４１と接合される。
【００３２】
第１連結片３Ａは、第１上側接続片１Ａの前後方向の中間部と、第１下側接続片２Ａの前後方向の中間部とを連結するように形成されている。
【００３３】
複数のグランド用コンタクト１０Ｂの各々は、接続対象物２００のグランド層２３と接触可能に形成されている。複数のグランド用コンタクト１０Ｂは、同一の形状（側面視Ｈ字状）に形成されている。本実施形態では、複数のグランド用コンタクト１０Ｂが、コネクタ１００の左右方向に、一定間隔で並んで配置されている。また、本実施形態では、信号用コンタクト１０Ａとグランド用コンタクト１０Ｂとが、交互に並んで配置されている。
【００３４】
複数のグランド用コンタクト１０Ｂの各々は、図１Ｂに示すように、接続片１Ｂと、接続片２Ｂと、両接続片１Ｂ，２Ｂを連結する連結片３Ｂとを備えている。また、複数のグランド用コンタクト１０Ｂの各々は、接続片１Ｂと接続片２Ｂとの間に接続対象物２００が差し込まれるように構成されている。接続片１Ｂ、接続片２Ｂ及び連結片３Ｂの各々は、例えば、細長い四角柱状に形成されている。
【００３５】
複数のグランド用コンタクト１０Ｂの各々は、接続片１Ｂ及び接続片２Ｂの長手方向がコネクタ１００の前後方向と並行するように、ハウジング１１に取り付けられている。また、複数のグランド用コンタクト１０Ｂの各々は、接続片１Ｂが上側に位置し、かつ、接続片２Ｂが下側に位置するように、ハウジング１１に取り付けられている。なお、以下では、説明の便宜上、接続片１Ｂを「第２上側接続片１Ｂ」と称し、接続片２Ｂを「第２下側接続片２Ｂ」と称し、連結片３Ｂを「第２連結片３Ｂ」と称する。
【００３６】
第２上側接続片１Ｂの前端部には、下方に向って突出する突起（以下、「第２突起」）８が設けられている。第２突起８は、接続対象物２００の上面に形成された導電部２４と接触可能に形成されている。
【００３７】
第２上側接続片１Ｂの後端部には、操作部１２の回転軸１２Ａと接触可能な突出部（以下、「第２突出部」）５Ｂが設けられている。第２突出部５Ｂには、側面視半円状に窪んだ凹部（以下、「第２凹部」）６Ｂが形成されている。第２凹部６Ｂは、図１Ｂに示すように、操作部１２が倒された状態のときに、操作部１２の回転軸１２Ａと接触するように形成されている。
【００３８】
第２下側接続片２Ｂの前端部には、端子部（以下、「第２端子部」）７Ｂが設けられている。第２端子部７Ｂは、基板４００の上面に形成されたグランド部４２と接合される。また、第２下側接続片２Ｂの前端部には、上方に向って突出する突起（以下、「第３突起」）９が設けられている。第３突起９は、接続対象物２００のグランド層２３と接触可能に形成されている（図５Ｂ参照）。第３突起９は、第２下側接続片２Ｂにおいて第２突起８と対向する部位に、設けられている。
【００３９】
第２連結片３Ｂは、第２上側接続片１Ｂの前後方向の中間部と、第２下側接続片２Ｂの前後方向の中間部とを連結するように形成されている。
【００４０】
ハウジング１１は、複数の信号用コンタクト１０Ａ及び複数のグランド用コンタクト１０Ｂを保持するように形成されている。ハウジング１１は、電気絶縁性を有している。ハウジング１１は、例えば、合成樹脂により形成されている。ハウジング１１は、扁平な直方体状に形成されている。
【００４１】
ハウジング１１には、図３に示すように、複数の信号用コンタクト１０Ａを保持する複数の開口孔（以下、「第１開口孔」）１１Ａが設けられている。複数の第１開口孔１１Ａは、複数の信号用コンタクト１０Ａに１対１で対応付けられている。
【００４２】
複数の第１開口孔１１Ａは、ハウジング１１の左右方向に、一定間隔で並んで設けられている。複数の第１開口孔１１Ａの各々は、ハウジング１１を前後方向に貫通するように形成されている。
【００４３】
また、ハウジング１１には、図３に示すように、複数のグランド用コンタクト１０Ｂを保持する複数の開口孔（以下、「第２開口孔」）１１Ｂが設けられている。複数の第２開口孔１１Ｂは、複数のグランド用コンタクト１０Ｂに１対１で対応付けられている。
【００４４】
複数の第２開口孔１１Ｂは、ハウジング１１の左右方向に、一定間隔で並んで設けられている。複数の第２開口孔１１Ｂの各々は、ハウジング１１を前後方向に貫通するように形成されている。本実施形態では、第１開口孔１１Ａと第２開口孔１１Ｂとが、図３に示すように、交互に並んで配置されているが、これに限定されない。
【００４５】
ハウジング１１の前端部には、接続対象物２００の後端部２０が挿入される挿入穴１１Ｃが設けられている。
【００４６】
実施形態１のコネクタ１００では、図１Ａに示すように、ハウジング１１に、接続対象物２００のグランド層２３と信号用コンタクト１０Ａの第１下側接続片２Ａとを電気的に絶縁する絶縁部１３が、設けられている。
【００４７】
絶縁部１３は、接続対象物２００のグランド層２３と信号用コンタクト１０Ａの第１下側接続片２Ａとの間の距離を規定距離に保つスペーサとして機能する。規定距離は、第１下側接続片２Ａの上下方向の寸法（厚み寸法）よりも大きい。
【００４８】
絶縁部１３は、第１下側接続片２Ａの前端部を覆うように形成されている。絶縁部１３は、例えば、合成樹脂により形成されている。また、絶縁部１３は、ハウジング１１と一体に形成されている。
【００４９】
操作部１２は、複数の信号用コンタクト１０Ａそれぞれの一部（第１突出部５Ａ）を押すように形成されている。また、操作部１２は、複数のグランド用コンタクト１０Ｂそれぞれの一部（第２突出部５Ｂ）を押すように形成されている。操作部１２は、電気絶縁性を有している。操作部１２は、例えば、合成樹脂により形成されている。
【００５０】
操作部１２は、扁平な直方体状に形成されている。操作部１２の左右方向の寸法は、ハウジング１１の左右方向の寸法と同程度に設定されている。
【００５１】
操作部１２は、回転軸１２Ａを備えている。回転軸１２Ａは、丸棒状に形成されている。操作部１２は、回転軸１２Ａを軸にして、ハウジング１１に対し回転自在となっている（図６Ａ及び６Ｂ参照）。言い換えれば、操作部１２は、ハウジング１１に対して移動可能に保持されている。
【００５２】
操作部１２には、操作部１２が起こされた状態で複数の第１突出部５Ａが挿入される複数の貫通孔（以下、「第１貫通孔」）１２Ｂ（図１Ａ参照）が、設けられている。複数の第１貫通孔１２Ｂは、複数の第１突出部５Ａに１対１で対応付けられている。複数の第１貫通孔１２Ｂの各々は、操作部１２が倒された状態でも、対応する第１突出部５Ａの一部が入り込むように形成されている。
【００５３】
また、操作部１２には、操作部１２が起こされた状態で複数の第２突出部５Ｂが挿入される複数の貫通孔（以下、「第２貫通孔」）１２Ｃ（図１Ｂ参照）が、設けられている。複数の第２貫通孔１２Ｃは、複数の第２突出部５Ｂに１対１で対応付けられている。複数の第２貫通孔１２Ｃの各々は、操作部１２が倒された状態でも、対応する第２突出部５Ｂの一部が入り込むように形成されている。
【００５４】
以下、実施形態１のコネクタ１００に接続対象物２００を着脱する機構について、図６Ａ及び図６Ｂに基づいて説明する。なお、信号用コンタクト１０Ａの機構とグランド用コンタクト１０Ｂの機構とは、略同じ構成である。よって、以下では、グランド用コンタクト１０Ｂの機構のみについて説明し、信号用コンタクト１０Ａの機構について説明を適宜省略する。
【００５５】
コネクタ１００に接続対象物２００を接続する際は、まず、図６Ａに示すように、操作部１２が基板４００に対して略直角に起こされる状態まで、操作部１２を回転させる。これにより、コネクタ１００では、第２上側接続片１Ｂが基板４００に対して平行な状態となり、第２突起８と第３突起９との間隔が最も広がった状態になる。また、コネクタ１００では、接続対象物２００の後端部２０がハウジング１１の挿入穴１１Ｃに差し込まれたとき、第３突起９が接続対象物２００のグランド層２３と接触可能になる。
【００５６】
次に、図６Ｂに示すように、操作部１２が基板４００と平行に倒される状態まで、操作部１２を回転させる。これにより、コネクタ１００では、操作部１２が起こされた状態に比べて、操作部１２の回転軸１２Ａの位置が高くなり、この回転軸１２Ａが第２上側接続片１Ｂの第２凹部６Ｂに接触して第２突出部５Ｂが上方へ変位する。よって、コネクタ１００では、第２連結片３Ｂが撓んで第２上側接続片１Ｂの前端部が下方へ変位し、第２突起８が接続対象物２００の導電部２４と接触する。その結果、コネクタ１００では、第２上側接続片１Ｂの前端部が弾性変形して、第３突起９が接続対象物２００のグランド層２３と接触する。要するに、コネクタ１００では、操作部１２の回転軸１２Ａが複数のグランド用コンタクト１０Ｂそれぞれの一部（第２突出部５Ｂ）を押し上げることによって、複数のグランド用コンタクト１０Ｂとグランド層２３とが接触する。
【００５７】
実施形態１のコネクタ１００では、複数のグランド用コンタクト１０Ｂと接続対象物２００のグランド層２３とが電気的に接続された状態で、第２突起８と導電部２４との接触圧により摩擦抵抗が生じるので、接続対象物２００を抜け止めすることが可能になる。
【００５８】
一方、コネクタ１００から接続対象物２００を取り外す際は、図６Ａに示すように、操作部１２が起こされる状態まで、操作部１２を回転させる。これにより、コネクタ１００では、操作部１２が倒された状態に比べて、操作部１２の回転軸１２Ａの位置が低くなり、この回転軸１２Ａが第２上側接続片１Ｂの第２凹部６Ｂに接触しなくなる。よって、コネクタ１００では、第２上側接続片１Ｂが基板４００に対して平行な状態となり、第２突起８が接続対象物２００の導電部２４と接触しなくなるので、コネクタ１００から接続対象物２００を容易に引き抜くことが可能になる。
【００５９】
すなわち、実施形態１のコネクタ１００では、図６Ａに示すように、操作部１２が起こされた状態で、複数のグランド用コンタクト１０Ｂと接続対象物２００のグランド層２３との電気的な接続を解除する。一方、コネクタ１００では、図６Ｂに示すように、操作部１２が倒された状態で、複数のグランド用コンタクト１０Ｂとグランド層２３とを電気的に接続する。
【００６０】
また、実施形態１のコネクタ１００では、操作部１２が起こされた状態で、複数の信号用コンタクト１０Ａと複数の導電部２２との電気的な接続を解除する。一方、コネクタ１００では、操作部１２が倒された状態で、複数の信号用コンタクト１０Ａと複数の導電部２２とを電気的に接続する。
【００６１】
以下、比較例のコネクタ７００について、図７Ａ及び図７Ｂに基づいて説明する。
【００６２】
比較例のコネクタ７００の基本構成は、実施形態１のコネクタ１００と同じ構成である。比較例のコネクタ７００は、図７Ａに示すように、ハウジング１１に絶縁部１３が設けられていない点が、実施形態１のコネクタ１００と相違する。なお、比較例のコネクタ７００では、実施形態１のコネクタ１００と共通する構成要素に同一の符号を付して説明を省略する。
【００６３】
比較例のコネクタ７００では、仮に、ハウジング１１の挿入穴１１Ｃに接続対象物２００の後端部２０が挿入されたとき、第１下側接続片２Ａと接続対象物２００のグランド層２３とが電気的に接続されてしまう。これにより、比較例のコネクタ７００では、信号用コンタクト１０Ａと接続対象物２００のグランド層２３とが短絡され、信号用コンタクト１０Ａを流れる電流が、接続対象物２００の導電部２２に流れなくなる。
【００６４】
そこで、比較例のコネクタ７００は、図７Ａ及び図７Ｂに示すように、接続対象物８００とで、接続装置９００を構成する。なお、接続対象物８００の上面は、接続対象物２００の上面と同じ形状である。
【００６５】
接続対象物８００の下面には、図８に示すように、グランド層８１と、複数（図８では、７個）のグランド部８２と、グランド層８１と複数のグランド部８２とを電気的に接続する複数の接続線８３とが、設けられている。複数のグランド部８２は、複数の接続線８３を介してグランド層８１と電気的に接続されている。また、複数のグランド部８２は、複数のグランド用コンタクト１０Ｂと接触可能に形成されている。複数のグランド部８２は、複数のグランド用コンタクト１０Ｂと１対１で対応付けられている。
【００６６】
また、接続対象物８００の下面には、複数（図８では、６個）の導電部８４が設けられている。複数の導電部８４は、複数の信号用コンタクト１０Ａと接触可能に形成されている。複数の導電部８４は、複数の信号用コンタクト１０Ａに１対１で対応付けられている。
【００６７】
比較例のコネクタ７００では、ハウジング１１の挿入穴１１Ｃに接続対象物８００の後端部８０が挿入されたとき、信号用コンタクト１０Ａと接続対象物８００の導電部８４とが接触する。これにより、比較例のコネクタ７００では、信号用コンタクト１０Ａと接続対象物８００のグランド部８２とが接触するのを抑制でき、信号用コンタクト１０Ａとグランド層８１とが短絡するのを抑制できる。
【００６８】
しかしながら、比較例のコネクタ７００では、複数の第１下側接続片２Ａと接続対象物８００の下面に形成された導体（複数の導電部８４）に、寄生インダクタンス成分、寄生抵抗成分、寄生容量成分等が発生する。その結果、比較例のコネクタ７００では、図９中の一点鎖線で示すように、特定の周波数で共振現象が発生することがあった。
【００６９】
一方、実施形態１のコネクタ１００では、上述のように、ハウジング１１に、信号用コンタクト１０Ａの第１下側接続片２Ａと接続対象物２００のグランド層２３とを電気的に絶縁する絶縁部１３が、設けられている。この絶縁部１３は、接続対象物２００のグランド層２３と信号用コンタクト１０Ａの第１下側接続片２Ａとの間の距離を上記規定距離に保つスペーサとして機能する。これにより、実施形態１のコネクタ１００では、複数の第１下側接続片２Ａと接続対象物２００の下面に形成された導体（グランド層２３）に発生する寄生インダクタンス成分、寄生抵抗成分、寄生容量成分等を小さくすることが可能になる。よって、コネクタ１００では、図９中の実線で示すように、特定の周波数で共振現象が発生するのを抑制することが可能になる。
【００７０】
その結果、実施形態１のコネクタ１００では、比較例のコネクタ７００に比べて、帯域通過特性の広帯域化を図ることが可能になる。すなわち、コネクタ１００では、比較例のコネクタ７００に比べて、より高速な伝送に対応することが可能になる。
【００７１】
また、比較例のコネクタ７００では、接続対象物８００における複数のグランド部８２が複数の接続線８３を介してグランド層８１と電気的に接続されているので、グランド層８１に流れるリターン電流が、図７Ｂ中の矢印付き点線で示す経路を流れることがあった。
【００７２】
一方、実施形態１のコネクタ１００では、接続対象物２００の下面の全てがグランド層２３により形成されているので、接続対象物２００のグランド層２３を流れるリターン電流が、図１Ｂの矢印付き点線で示す経路を流れる。よって、コネクタ１００では、比較例のコネクタ７００よりも、リターン電流が流れる経路を短くすることが可能になる。
【００７３】
その結果、コネクタ１００では、比較例のコネクタ７００よりも、コネクタ１００の挿入損失を低減することが可能になる。これにより、実施形態１のコネクタ１００では、比較例のコネクタ７００に比べて、帯域通過特性の広帯域化をさらに図ることが可能になる。すなわち、コネクタ１００では、比較例のコネクタ７００に比べて、さらに高速な伝送に対応することが可能になる。なお、コネクタ１００の挿入損失とは、信号用コンタクト１０Ａ及びグランド用コンタクト１０Ｂに流れる電流が減衰する割合を意味する。
【００７４】
以上説明した実施形態１のコネクタ１００は、複数のコンタクト１０Ａと、複数のコンタクト１０Ａを保持するハウジング１１とを備えている。複数のコンタクト１０Ａの各々は、第１接続片１Ａと、第２接続片２Ａと、第１接続片１Ａ及び第２接続片２Ａを連結する連結片３Ａとを有している。また、複数のコンタクト１０Ａの各々は、第１接続片１Ａと第２接続片２Ａとの間に接続対象物２００が差し込まれるように構成されている。第１接続片１Ａは、接続対象物２００における第１接続片１Ａとの対向面に形成された導電部２２と接触するように形成されている。ハウジング１１には、接続対象物２００における第２接続片２Ａとの対向面に形成されたグランド層２３と第２接続片２Ａとを電気的に絶縁する絶縁部１３が、設けられている。
【００７５】
これにより、実施形態１のコネクタ１００では、複数の第２接続片２Ａと接続対象物２００のグランド層２３に発生する寄生インダクタンス成分、寄生抵抗成分、寄生容量成分等を小さくすることが可能になる。よって、コネクタ１００では、特定の周波数で共振現象が発生するのを抑制することが可能となり、帯域通過特性の広帯域化を図ることが可能になる。すなわち、コネクタ１００では、より高速な伝送に対応することが可能になる。
【００７６】
また、コネクタ１００は、複数のグランド用コンタクト１０Ｂをさらに備えている。複数のグランド用コンタクト１０Ｂの各々は、ハウジング１１に保持され、かつ、グランド層２３と接触するように形成されている。
【００７７】
これにより、コネクタ１００では、接続対象物２００のグランド層２３からのリターン電流が流れる経路を短くすることが可能となり、コネクタ１００の挿入損失を低減することが可能になる。よって、コネクタ１００では、帯域通過特性の広帯域化をさらに図ることが可能になる。すなわち、コネクタ１００では、さらに高速な伝送に対応することが可能になる。
【００７８】
以上説明した実施形態１の接続装置３００は、コネクタ１００と、コネクタ１００に接続される接続対象物２００とを備えている。これにより、実施形態１の接続装置３００では、より高速な伝送に対応可能なコネクタを備えた接続装置を提供することができる。
【００７９】
なお、本実施形態では、信号用コンタクト１０Ａとグランド用コンタクト１０Ｂとが、交互に並んで配置されているが、これに限定されない。また、信号用コンタクト１０Ａ及びグランド用コンタクト１０Ｂは、一定間隔で配置されているが、これに限定されず、任意の位置に適宜配置されてもよい。
【００８０】
また、本実施形態のコネクタ１００は、ＦＰＣが接続されるコネクタ（基板対ＦＰＣ接続用のコネクタ）であるが、これに限らず、ＦＦＣが接続されるコネクタ（基板対ＦＦＣ接続用のコネクタ）であってもよい。
【００８１】
（実施形態２）
以下、実施形態２のコネクタ１１０について、図１０Ａ及び図１０Ｂに基づいて説明する。実施形態２のコネクタ１１０の基本構成は、実施形態１のコネクタ１００と同じである。また、実施形態２のコネクタ１１０は、図１０Ｂに示すように、グランド用コンタクト１０Ｂの形状が異なる点が、実施形態１のコネクタ１００と相違する。なお、実施形態２のコネクタ１１０では、実施形態１のコネクタ１００と同様の構成要素に同一の符号を付して説明を適宜省略する。また、実施形態２のコネクタ１１０は、接続対象物２００とで、接続装置３００を構成してもよい。
【００８２】
グランド用コンタクト１０Ｂは、グランド層２３と接触する接触部１４と、接触部１４との間に接続対象物２００を挟む挟み部１５とを有している。
【００８３】
接触部１４は、第３突起９により構成されている。挟み部１５は、第２突起８により構成されている。接触部１４と挟み部１５とは、電気的に絶縁されている。
【００８４】
実施形態２のコネクタ１１０では、接触部１４と挟み部１５とが電気的に絶縁されているので、接続対象物２００のグランド層２３を流れるリターン電流が、図１０Ｂ中の矢印付き点線で示す経路を流れる。
【００８５】
これにより、実施形態２のコネクタ１１０では、実施形態１のコネクタ１００よりも、リターン電流が流れる経路を短くすることが可能になる。よって、コネクタ１１０では、実施形態１のコネクタ１００よりも、コネクタ１１０の挿入損失を低減することが可能になる（図１１参照）。なお、図１１中の実線は、実施形態２のコネクタ１１０における帯域通過特性を表している。また、図１１中の一点鎖線は、実施形態１のコネクタ１００における帯域通過特性を表している。
【００８６】
その結果、コネクタ１１０では、実施形態１のコネクタ１００よりも、帯域通過特性の広帯域化を図ることが可能になる。すなわち、コネクタ１１０では、実施形態１のコネクタ１００よりも、より高速な伝送に対応することが可能になる。
【００８７】
以上説明した実施形態２のコネクタ１１０では、複数のグランド用コンタクト１０Ｂの各々が、グランド層２３と接触する接触部１４と、接触部１４との間に接続対象物２００を挟む挟み部１５とを有している。接触部１４と挟み部１５とは、電気的に絶縁されている。これにより、実施形態２のコネクタ１１０では、実施形態１のコネクタ１００よりも、帯域通過特性の広帯域化を図ることが可能となる。すなわち、コネクタ１１０では、実施形態１のコネクタ１００よりも、より高速な伝送に対応することが可能になる。
【００８８】
（実施形態３）
以下、実施形態３のコネクタ１２０について、図１２Ａ及び図１２Ｂに基づいて説明する。実施形態３のコネクタ１２０の基本構成は、実施形態２のコネクタ１１０と同じである。また、実施形態３のコネクタ１２０は、図１２Ｂに示すように、グランド用コンタクト１０Ｂの形状が異なる点等が、実施形態２のコネクタ１１０と相違する。なお、実施形態３のコネクタ１２０では、実施形態２のコネクタ１１０と同様の構成要素に同一の符号を付して説明を適宜省略する。また、実施形態３のコネクタ１２０は、接続対象物２００とで、接続装置３００を構成してもよい。
【００８９】
複数のグランド用コンタクト１０Ｂの各々は、ハウジング１１の挿入穴１１Ｃの深さ方向における挿入穴１１Ｃの中心位置よりも挿入穴１１Ｃの開口側の位置で接触部１４が接続対象物２００のグランド層２３と接触するように、ハウジング１１に保持されている。
【００９０】
また、複数のグランド用コンタクト１０Ｂの各々は、挿入穴１１Ｃの中心位置よりも上記開口側の位置で挟み部１５が接続対象物２００の導電部２４と接触するように、ハウジング１１に保持されている。
【００９１】
実施形態３のコネクタ１２０では、接触部１４が、挿入穴１１Ｃの中心位置よりも上記開口側の位置で接続対象物２００のグランド層２３と接触するので、グランド層２３を流れるリターン電流が、図１２Ｂ中の矢印付き点線で示す経路を流れる。
【００９２】
これにより、実施形態３のコネクタ１２０では、実施形態２のコネクタ１１０よりも、リターン電流が流れる経路を短くすることが可能になる。よって、コネクタ１２０では、実施形態２のコネクタ１１０よりも、コネクタ１２０の挿入損失を低減することが可能になる（図１３参照）。なお、図１３中の実線は、実施形態３のコネクタ１２０における帯域通過特性を表している。また、図１３中の一点鎖線は、実施形態２のコネクタ１１０における帯域通過特性を表している。
【００９３】
その結果、コネクタ１２０では、実施形態２のコネクタ１１０よりも、帯域通過特性の広帯域化を図ることが可能になる。すなわち、コネクタ１２０では、実施形態２のコネクタ１１０よりも、より高速な伝送に対応することが可能になる。
【００９４】
また、複数の信号用コンタクト１０Ａの各々は、挿入穴１１Ｃの深さ方向における挿入穴１１Ｃの中心位置よりも挿入穴１１Ｃの底側の位置で第１上側接続片１Ａの第１突起４が接続対象物２００の導電部２２と接触するように、ハウジング１１に保持されている。これにより、実施形態３のコネクタ１２０では、実施形態２のコネクタ１１０よりも、信号用コンタクト１０Ａを流れる電流の経路を短くすることが可能になる。よって、コネクタ１２０では、実施形態２のコネクタ１１０よりも、コネクタ１２０の挿入損失をより低減することが可能になる。
【００９５】
その結果、コネクタ１２０では、実施形態２のコネクタ１１０よりも、帯域通過特性の広帯域化をさらに図ることが可能になる。すなわち、コネクタ１２０では、実施形態２のコネクタ１１０よりも、さらに高速な伝送に対応することが可能になる。
【００９６】
以上説明した実施形態３のコネクタ１２０では、複数のグランド用コンタクト１０Ｂの各々が、挿入穴１１Ｃの中心位置よりも挿入穴１１Ｃの開口側の位置で接触部１４がグランド層２３と接触するように、ハウジング１１に保持されている。これにより、実施形態３のコネクタ１２０では、実施形態２のコネクタ１１０よりも、帯域通過特性の広帯域化を図ることが可能になる。すなわち、コネクタ１２０では、実施形態２のコネクタ１１０よりも、より高速な伝送に対応することが可能になる。
【符号の説明】
【００９７】
１Ａ  接続片（第１接続片）
２Ａ  接続片（第２接続片）
３Ａ  連結片
１０Ａ  コンタクト
１０Ｂ  グランド用コンタクト
１１  ハウジング
１１Ｃ  挿入穴
１２  操作部
１３  絶縁部
１４  接触部
１５  挟み部
２０  後端部（端部）
２２  導電部
２３  グランド層
１００  コネクタ
１１０  コネクタ
１２０  コネクタ
２００  接続対象物
３００  接続装置
【図１】
2017033907.tif 000003
【図２】
2017033907.tif 000004
【図３】
2017033907.tif 000005
【図４】
2017033907.tif 000006
【図５】
2017033907.tif 000007
【図６】
2017033907.tif 000008
【図７】
2017033907.tif 000009
【図８】
2017033907.tif 000010
【図９】
2017033907.tif 000011
【図１０】
2017033907.tif 000012
【図１１】
2017033907.tif 000013
【図１２】
2017033907.tif 000014
【図１３】
2017033907.tif 000015